【事件の表示】
　特願２００５−２９４１８６「時間関連イメージの自動スタッキング」拒絶査定不服審判事件〔平成１８年　５月１１日出願公開、特開２００６−１２０１４２〕について、次のとおり審決する。
【結　論】
　本件審判の請求は、成り立たない。
【理　由】
１　経緯
　本件出願は、平成１７年１０月６日（パリ条約による優先権主張２００４年１０月６日、米国）の出願であって、平成２３年２月２８日付けで手続補正がなされたが、平成２３年３月１５日付けで拒絶査定がなされたものである。
　本件は、上記拒絶査定を不服として平成２３年７月２９日付けで請求された拒絶査定不服審判であって、同日付けで手続補正（明細書、特許請求の範囲又は図面について請求と同時にする補正）がなされたものである。
　
２　補正却下の決定
　平成２３年７月２９日付けの手続補正について次のとおり決定する。
　
〈補正却下の決定の結論〉
　平成２３年７月２９日付けの手続補正を却下する。
　
〈補正却下の決定の理由〉
（１）補正の内容
　平成２３年７月２９日付けの手続補正（以下、本件補正という）は、平成２３年２月２８日付けで補正された特許請求の範囲を次のように補正するものである。
　
［補正前］
【請求項１】
　コンピュータ・デバイスによって実行される方法であって、この方法は、
　しきい時間値を格納するステップと、
　前記しきい時間値に基づいて、デジタル・イメージのセットを複数のスタックに自動的に整理するステップと、
　前記複数のスタックの各々のグラフィカル表現を表示させるステップと
　を備え、
　前記自動的に整理するステップは、
　デジタル・イメージのセット中の第１のデジタル・イメージに関連づけられた作成日時と、デジタル・イメージのセット中の第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　デジタル・イメージのセット中の第２のデジタル・イメージに関連づけられた作成日時と、デジタル・イメージのセット中の第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップとを備え、
　前記第１のスタックは前記第３のデジタル・イメージを含まず、
　前記第２のスタックは前記第１のデジタル・イメージも前記第２のデジタル・イメージも含まず、
　前記第１のデジタル・イメージに関連づけられた作成日時は前記第２のデジタル・イメージに関連づけられた作成日時よりも小さく、
　前記第２のデジタル・イメージに関連づけられた作成日時は前記第３のデジタル・イメージに関連づけられた作成日時よりも小さい
　ことを特徴とする方法。
　
【請求項２】
　入力に応じ、前記しきい時間値を受け取るステップをさらに備える
　ことを特徴とする請求項１に記載の方法。
　
【請求項３】
　前記複数のスタックの各々のグラフィカル表現を表示させるステップは、
　前記第１のスタック中のデジタル・イメージがスタックに合体するのを示すアニメーションを表示させるステップと、
　前記第２のスタック中のデジタル・イメージがスタックに合体するのを示すアニメーションを表示させるステップと
　を含むことを特徴とする請求項１に記載の方法。
　
【請求項４】
　新たなしきい時間値を選択する入力に応じ、前記第２の差分が前記新たなしきい時間値より小さいときには、同一のスタックに含ませるものとして前記第２および第３のデジタル・イメージを自動的に選択するステップ
　をさらに備えることを特徴とする請求項１に記載の方法。
　
【請求項５】
　新たなしきい時間値を選択する入力に応じ、前記第１の差分が前記新たなしきい時間値より大きいときには、別々のスタックに含ませるものとして前記第１および第２のデジタル・イメージを自動的に選択するステップ
　をさらに備えることを特徴とする請求項１に記載の方法。
　
【請求項６】
　第１および第２スタックのうち一方を他方にドラッグする入力を受け取るステップと、
　この入力の受け取りに応じ、前記第１および第２スタックの組み合わせを代表するスタックのグラフィカル表現を表示させるステップと
　をさらに備えることを特徴とする請求項１に記載の方法。
　
【請求項７】
　前記第１のスタック中のあるデジタル・イメージが前記第１のスタックのピック・イメージとなるよう割り当てるステップをさらに備え、
　前記第１のスタックのグラフィカル表現を表示させるステップは、前記第１のスタックを代表するピック・イメージを表示させるステップを含む
　ことを特徴とする請求項１に記載の方法。
　
【請求項８】
　前記第１のスタックに含ませるものとして前記デジタル・イメージのセットから１つ以上の追加用デジタル・イメージを選択するステップと、
　前記第２のスタックに含ませるものとして前記デジタル・イメージのセットから１つ以上の追加用デジタル・イメージを選択するステップと、
　前記第１および第２スタックに含ませるものとして前記デジタル・イメージのセットから追加用デジタル・イメージが選択されたときに、更新されるべき前記第１および第２のスタックのグラフィカル表現を表示させるステップと
　をさらに備えることを特徴とする請求項１に記載の方法。
　
【請求項９】
　前記しきい時間値は３〜５秒を含む
　ことを特徴とする請求項１に記載の方法。
　
【請求項１０】
　入力に応じ、前記第１のスタック中の全てのデジタル・イメージを表示させるステップをさらに備えることを特徴とする請求項１に記載の方法。
　
【請求項１１】
　プログラムが格納されたコンピュータにより読み込み可能な記憶メディアであって、
　前記プログラムは、コンピュータ・デバイスにより実行されるとこのコンピュータ・デバイスに方法を実行させ、この方法は
　しきい時間値を格納するステップと、
　前記しきい時間値に基づいて、デジタル・イメージのセットを複数のスタックに自動的に整理するステップと、
　前記複数のスタックの各々のグラフィカル表現を表示させるステップと
　を備え、
　前記自動的に整理するステップは、
　デジタル・イメージのセット中の第１のデジタル・イメージに関連づけられた作成日時と、デジタル・イメージのセット中の第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　デジタル・イメージのセット中の第２のデジタル・イメージに関連づけられた作成日時と、デジタル・イメージのセット中の第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップとを備え、
　前記第１のスタックは前記第３のデジタル・イメージを含まず、
　前記第２のスタックは前記第１のデジタル・イメージも前記第２のデジタル・イメージも含まず、
　前記第１のデジタル・イメージに関連づけられた作成日時は前記第２のデジタル・イメージに関連づけられた作成日時よりも小さく、
　前記第２のデジタル・イメージに関連づけられた作成日時は前記第３のデジタル・イメージに関連づけられた作成日時よりも小さい
　ことを特徴とする記憶メディア。
　
【請求項１２】
　前記方法は、入力に応じ、しきい時間値を受け取るステップをさらに備える
　ことを特徴とする請求項１１に記載の記憶メディア。
　
【請求項１３】
　前記複数のスタックの各々のグラフィカル表現を表示させるステップは、
　前記第１のスタック中のデジタル・イメージがスタックに合体するのを示すアニメーションを表示させるステップと、
　前記第２のスタック中のデジタル・イメージがスタックに合体するのを示すアニメーションを表示させるステップと
　を含むことを特徴とする請求項１１に記載の記憶メディア。
　
【請求項１４】
　前記方法は、新たなしきい時間値を選択する入力に応じ、前記第２の差分が前記新たなしきい時間値より小さいときには、同一のスタックに含ませるものとして前記第２および第３のデジタル・イメージを自動的に選択するステップ
　をさらに備えることを特徴とする請求項１１に記載の記憶メディア。
　
【請求項１５】
　前記方法は、新たなしきい時間値を選択する入力に応じ、前記第１の差分が前記新たなしきい時間値より大きいときには、別々のスタックに含ませるものとして前記第１および第２のデジタル・イメージを自動的に選択するステップ
　をさらに備えることを特徴とする請求項１１に記載の記憶メディア。
　
［補正後］
【請求項１】
　コンピュータ・デバイスによって実行される方法であって、この方法は、
　第１のしきい時間値を格納するステップと、
　前記第１のしきい時間値に基づいて、デジタル・イメージのセットを複数のスタックに自動的に整理するステップと、
　前記複数のスタックの各々のグラフィカル表現を表示させるステップと
　を備え、
　前記デジタル・イメージのセット中の各デジタル・イメージは作成日時と関連づけられ、
　前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず、
　前記第１のしきい時間値に基づいて、デジタル・イメージのセットを複数のスタックに自動的に整理するステップは、
　前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記第１のしきい時間値より小さいときには、前記複数のスタック中の第１のスタックに含ませるものとして前記第１および第２のデジタル・イメージを自動的に選択するステップと、
　前記第２の差分が前記第１のしきい時間値より大きいときには、前記複数のスタック中の第２のスタックに含ませるものとして前記第３のデジタル・イメージを自動的に選択するステップと
　を備え、
　前記第１のしきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まず、
　第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む
　ことを特徴とする方法。
　
【請求項２】
　入力に応じ、前記第１のしきい時間値を受け取るステップをさらに備える
　ことを特徴とする請求項１に記載の方法。
　
【請求項３】
　前記複数のスタックの各々のグラフィカル表現を表示させるステップは、
　前記第１のスタック中のデジタル・イメージがスタックに合体するのを示すアニメーションを表示させるステップと、
　前記第２のスタック中のデジタル・イメージがスタックに合体するのを示すアニメーションを表示させるステップと
　を含むことを特徴とする請求項１に記載の方法。
　
【請求項４】
　前記第２のしきい時間値を選択する入力の前に、前記第１のスタック中のあるデジタル・イメージが前記第１のスタックのピック・イメージとなるよう割り当てるステップをさらに備え、
　前記第１のスタックのグラフィカル表現を表示させるステップは、前記第１のスタックを代表するピック・イメージを表示させるステップを含む
　ことを特徴とする請求項１に記載の方法。
　
【請求項５】
　前記第２のしきい時間値を選択する入力の前に、
　前記第１のスタックに含ませるものとして前記デジタル・イメージのセットから１つ以上の追加用デジタル・イメージを選択するステップと、
　前記第２のスタックに含ませるものとして前記デジタル・イメージのセットから１つ以上の追加用デジタル・イメージを選択するステップと、
　前記第１および第２スタックに含ませるものとして前記デジタル・イメージのセットから追加用デジタル・イメージが選択されたときに、更新されるべき前記第１および第２のスタックのグラフィカル表現を表示させるステップと
　をさらに備えることを特徴とする請求項１に記載の方法。
　
【請求項６】
　前記第１のしきい時間値は３〜５秒を含む
　ことを特徴とする請求項１に記載の方法。
　
【請求項７】
　入力に応じ、前記第１のスタック中の全てのデジタル・イメージを表示させるステップをさらに備えることを特徴とする請求項１に記載の方法。
　
【請求項８】
　プログラムが格納されたコンピュータにより読み込み可能な記憶メディアであって、
　前記プログラムは、コンピュータ・デバイスにより実行されるとこのコンピュータ・デバイスに方法を実行させ、この方法は
　第１のしきい時間値を格納するステップと、
　前記第１のしきい時間値に基づいて、デジタル・イメージのセットを複数のスタックに自動的に整理するステップと、
　前記複数のスタックの各々のグラフィカル表現を表示させるステップと
　を備え、
　前記デジタル・イメージのセット中の各デジタル・イメージは作成日時と関連づけられ、
　前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず、
　前記第１のしきい時間値に基づいて、デジタル・イメージのセットを複数のスタックに自動的に整理するステップは、
　前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記第１のしきい時間値より小さいときには、前記複数のスタック中の第１のスタックに含ませるものとして前記第１および第２のデジタル・イメージを自動的に選択するステップと、
　前記第２の差分が前記第１のしきい時間値より大きいときには、前記複数のスタック中の第２のスタックに含ませるものとして前記第３のデジタル・イメージを自動的に選択するステップと
　を備え、
　前記第１のしきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まず、
　第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む
　ことを特徴とする記憶メディア。
　
【請求項９】
　前記方法は、入力に応じ、第１のしきい時間値を受け取るステップをさらに備える
　ことを特徴とする請求項８に記載の記憶メディア。
　
【請求項１０】
　前記複数のスタックの各々のグラフィカル表現を表示させるステップは、
　前記第１のスタック中のデジタル・イメージがスタックに合体するのを示すアニメーションを表示させるステップと、
　前記第２のスタック中のデジタル・イメージがスタックに合体するのを示すアニメーションを表示させるステップと
　を含むことを特徴とする請求項８に記載の記憶メディア。
　
　上記補正は、特許請求の範囲を減縮するものと認められるので、独立特許要件について補正の適否を検討する。
　
（２）補正の適否（独立特許要件）
　ア　請求項１
　本件補正後の請求項１に係る発明（以下、「補正後発明」ともいう）は次のとおりである。
　
［補正後発明］（補正後の請求項１）
　コンピュータ・デバイスによって実行される方法であって、この方法は、
　第１のしきい時間値を格納するステップと、
　前記第１のしきい時間値に基づいて、デジタル・イメージのセットを複数のスタックに自動的に整理するステップと、
　前記複数のスタックの各々のグラフィカル表現を表示させるステップと
　を備え、
　前記デジタル・イメージのセット中の各デジタル・イメージは作成日時と関連づけられ、
　前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず、
　前記第１のしきい時間値に基づいて、デジタル・イメージのセットを複数のスタックに自動的に整理するステップは、
　前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記第１のしきい時間値より小さいときには、前記複数のスタック中の第１のスタックに含ませるものとして前記第１および第２のデジタル・イメージを自動的に選択するステップと、
　前記第２の差分が前記第１のしきい時間値より大きいときには、前記複数のスタック中の第２のスタックに含ませるものとして前記第３のデジタル・イメージを自動的に選択するステップと
　を備え、
　前記第１のしきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まず、
　第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む
　ことを特徴とする方法。
　
　イ　刊行物１
　査定の理由として示した特開２００３−３０３２１１号公報（以下、「刊行物１」ともいう）には、図面とともに次の記載がある。
　
（刊行物１の記載）
「【発明の詳細な説明】
【０００１】
【技術分野】この発明は，画像表示制御装置に関する。
【０００２】
【発明の背景】多数の駒の画像の中から所望の画像を探し出すものとしてサムネイル画像を表示画面に多数表示し，表示された多数のサムネイル画像の中から所望の画像をユーザに選択させるものがある。選択されたサムネイル画像に似た画像が画像データベースの中から見つけだされ，表示画面に表示される。再びユーザによって所望の画像が選択され，選択された画像に似た画像が探し出される。このような処理が所望の画像が見つけられるまで繰り返される。
【０００３】しかしながら，このようにして所望の画像を探し出すのでは画像を探し出すまでに時間がかかり，ユーザも多くの手間がかかる。
【０００４】
【発明の開示】この発明は，比較的簡単に所望の画像を見つけることを目的とする。
【０００５】この発明による画像表示制御装置は，画像データベースから多数駒の画像を表す画像データを読み取る読み取り手段，上記読み取り手段により読み取られた画像データによって表される多数駒の画像を撮影時刻ごとに分類する分類手段，ならびに撮影時刻を時刻順に示し，かつ分類された撮影時刻に含まれる画像に対応するグラフ（画像の駒数を表すグラフ）を含むタイム・テーブルおよび上記読み取り手段によって読み取られた画像データによって表される多数駒の画像の代表画像を上記タイム・テーブルに対応して表示画面上に表示するように表示装置を制御する第１の表示制御手段を備えていることを特徴とする。
【０００６】上記画像表示制御装置に適した方法を提供するようにしてもよい。すなわち，その方法は，画像データベースから多数駒の画像を表す画像データを読み取り，読み取られた画像データによって表される多数駒の画像を撮影時刻ごとに分類し，撮影時刻を時刻順に示し，かつ分類された撮影時刻に含まれる画像に対応するグラフを含むタイム・テーブルおよび読み取られた画像データによって表される多数駒の画像の代表画像を上記タイム・テーブルに対応して表示画面上に表示するものである。
【０００７】この発明によると，上記タイム・テーブルが表示される。分類された上記撮影時刻を時刻順に示し，かつ分類された撮影時刻に含まれる画像に対応するグラフが含まれている。したがって，上記タイム・テーブルを見ることにより，画像の撮影履歴をほぼ把握することができる。撮影履歴が分かるので，所望の画像を見つけやすくなる。また，読み取られた画像データによって表される多数駒の画像の代表画像も表示されるので，どのような画像が画像データベースに格納されているかも把握できる。
【０００８】上記第１の表示制御手段は，たとえば，上記タイム・テーブルおよび撮影時刻ごとに分類された画像の中の代表画像を上記タイム・テーブルに対応した表示画面上に表示するように表示装置を制御するものである。
【０００９】上記代表画像が，撮影時刻ごとに分類された画像ごとに表示されるので，それぞれの撮影時刻によって分類された画像の中にどのような画像が含まれているかを確認することができる。
【００１０】上記代表画像を選択する選択手段および上記選択手段によって代表画像が選択されたことにより，撮影時刻ごとに分類された画像を表示画面上に表示するように上記表示装置を制御する第２の表示制御手段をさらに備えるようにしてもよい。
【００１１】探し出したい画像に近い代表画像が見つけられ，選択されることにより，選択された代表画像に対応して撮影時刻ごとに分類された画像が表示される。探したい画像を見つけやすくなる。
【００１２】
【実施例の説明】図１は，この発明の実施例を示すもので，画像表示制御装置の電気的構成を示すブロック図である。
【００１３】画像表示制御装置の全体の動作は，ＣＰＵ２によって統括される。
【００１４】画像表示制御装置には，多数の画像を表す画像ファイルが格納されている画像データベース４が含まれている。画像ファイルには，撮影された日時を表す撮影日時データがファイルのヘッダ記録領域に記録されている。
【００１５】キーボード，マウスなどの入力装置３からの出力信号は，ＣＰＵ２に入力する。入力装置３から，各種指令を表す信号が出力される。
【００１６】ＣＰＵ２には，表示装置６の表示画面上に表示される画像を表す画像データ，その他のデータを一時的に記憶するメモリ１も接続されている。表示装置６における画像の表示等は，表示制御装置５によって制御される。
【００１７】この実施例による画像表示装置は，ヴァーチャル・アルバムを作成し，作成されたヴァーチャル・アルバムの中から所望の画像を見つけることができるものである。
【００１８】図２は，ヴァーチャル・アルバムを作成する処理手順を示すフローチャートである。
【００１９】画像データベース４に格納されている画像ファイルの中から画像の撮影日時データが読み取られる（ステップ11）。読み取られた撮影日時データによって表される撮影日時の順番に画像が並べられる。撮影間隔が24時間以内の画像が関連するものと判断され，特定のアルバム・フォルダの中に格納される。撮影間隔が24時間を超えると，画像同士が関連しないものとして別のアルバム・フォルダの中に格納される。撮影間隔が24時間を超えたときに画像が区切られ，それぞれの区切りごとの画像が格納されるアルバム・フォルダが作成される（ステップ12）。
【００２０】アルバム・フォルダが作成されると，それぞれのアルバム・フォルダごとに格納されている画像の中から代表画像が決定される（ステップ13）。通常は，アルバム・フォルダに格納されている画像の中で最初に撮影された画像が代表画像となろう。もっとも最初に撮影された画像でなくそのほかの画像を代表画像としてもよいのはいうまでもない。たとえば，アルバム・フォルダに格納されているすべての画像をユーザが閲覧し，ユーザによって代表画像が決定されてもよい。
【００２１】アルバム・フォルダに格納されているすべての画像が再び撮影順に並べられる。撮影間隔が１時間以内の画像が同じシーンのものと判断され，シーン・フォルダの中に格納される。撮影間隔が１時間を超えるとシーンが異なるものとして別のシーン・フォルダの中に画像が格納される。撮影間隔が１時間を超えたときにシーンが区切られ，それぞれのシーンごとの画像が格納されるシーン・フォルダが作成される（ステップ14）。
【００２２】シーン・フォルダが作成されると，アルバム・フォルダと同様にそれぞれのシーン・フォルダの中に格納されている画像の中で最初に撮影された画像が代表画像として決定される（ステップ15）。シーン・フォルダの場合もアルバムフォルダの場合と同様に，最初に撮影された画像を代表画像とするのではなく，その他の画像を代表画像とするようにしてもよい。
【００２３】このようにして作成された画像を格納するシーン・フォルダは，対応するアルバム・フォルダ内に格納される。
【００２４】その後，アルバムごとに，かつシーンごとの撮影履歴を示すタイム・テーブルを表すデータが作成される（ステップ16）。タイム・テーブルは，シーンごとの画像がいつ頃撮影されたかをグラフによって表わすものである（後述する図６参照）。
【００２５】図３は，ヴァーチャル・アルバムのディレクトリ構成を示している。
【００２６】上述のようにしてヴァーチャル・アルバムが作成されると，ディレクトリ（画像とシーン・フォルダとアルバム・フォルダとの関連づけ）が構成される。
【００２７】大元のヴァーチャル・アルバム・フォルダが作成されている。そのヴァーチャル・アルバム・フォルダに上述したアルバム・フォルダ（アルバム・フォルダ名：アルバム１からアルバム９）が格納されている。それぞれのアルバム・フォルダ内にシーン・フォルダ（シーン・フォルダ名１，２，３など）が格納されている。シーン・フォルダに画像（画像１，２，３など）が格納されている。それぞれのシーン・フォルダ内に格納されている画像のうち最初に撮影された画像が代表画像とされている。
【００２８】このようなディレクトリ構成とされることにより，上位のディレクトリ（フォルダ）から最下層の画像を見つけだすことができる。
【００２９】図４は，ヴァーチャル・アルバムを閲覧（画像検索）するときの処理手順を示すフローチャートである。図５から図７は，表示装置６の表示画面に表示される画像の一例である。
【００３０】入力装置３からヴァーチャル・アルバム閲覧指令が入力されると，表示装置６の表示画面には図５に示すアルバム・リストが表示される（ステップ21）。アルバム・リストは，上述のように作成されたヴァーチャル・アルバム・フォルダに格納されているアルバム・フォルダを示すアイコンを一覧で表示するものである。アルバム１からアルバム９までのフォルダを示すアイコンが表示されている。アルバム・フォルダに格納されている画像の駒数に対応して，厚さが異なるようにアルバム・フォルダ・アイコンの形が決定されている。アルバム・フォルダ・アイコンは，画像の駒数が多ければ，アルバムの厚さが厚く見える形状となっており，画像の駒数が少なければ，アルバムの厚さが薄く見える形状となっている。アルバム・フォルダの中に格納されている画像の駒数が多いか少ないかを一見して把握できる。
【００３１】アルバム・フォルダ・アイコンの表面には，それぞれのアルバム・フォルダに格納されている画像の代表画像と，格納されている画像の撮影期間が表示されている。代表画像および撮影期間を見ることにより，アルバム・フォルダに格納されている画像の見当を付けることができる。
【００３２】また，表示装置６の表示画面には，マウスによって操作されるカーソルＣも表示されている。
【００３３】所望の画像を見つけるときには，所望の画像が格納されているであろうアルバム・フォルダ・アイコンがクリックされる。すると，対応するアルバムが選択されたこととなり（ステップ22でＹＥＳ），クリックされたアルバム・アイコンによって特定されるアルバムの目次が表示画面に表示される（ステップ23）。この実施例においては，アルバム７のアルバム・フォルダ・アイコンがクリックされたものとする。
【００３４】図６を参照して，アルバムの目次にはタイム・テーブル・ページＰ１とシーン代表画像ページＰ２とが含まれている。
【００３５】タイム・テーブル・ページＰ１には，選択されたアルバム・フォルダ内に格納されている画像の撮影日ごとにタイム・テーブル30，40および50が表示されている。いずれのタイム・テーブル30，40および50も１日（実際の活動時間は，午前６時ごろから午後12時ごろまでであるから左端は午前６時，右端は午後12時を示すものとなろう）を表しており，左側から右側に行くにつれて時間が経過していることを示している。タイム・テーブル30，40および50内のハッチングで示すシーン（グラフ）31，32および33，41，42および43ならびに51および52がそれぞれのシーンにおける撮影時間を示している。またシーンの幅が対応するシーン・フォルダに格納されている画像の駒数を示している。幅が広いほど画像の駒数が多く，幅が狭いほど画像の駒数が少ない。
【００３６】タイム・テーブル30は，2002年１月22日に撮影された画像の撮影時間を示すものである。タイム・テーブル30には，シーン31，32および33が含まれている。シーン30は，午前７時30分ごろから午前９時過ぎごろまでの間の撮影シーンであることを示している。シーン31は，午前12時ごろから午後２時ごろまでの間の撮影シーンであることを示している。シーン32は，午後６時ごろから午後９時30分ごろまでの撮影シーンであることを示している。同様にタイム・テーブル40は，シーン41，42および43の３つのシーンが2002年１月23日にあることを示し，タイム・テーブル50は，シーン51および52の２つのシーンが2002年１月24日にあることを示している。
【００３７】タイム・テーブル30，40または50を見ることによっていつ頃の撮影シーンの画像が選択されたアルバム・フォルダ内に格納されているかが分かる。
【００３８】シーン代表画像ページＰ２には，シーン代表画像表示領域60，70および80がタイム・テーブル30，40および50に対応して形成されている。これらのシーン代表画像表示領域60，70および80のそれぞれにシーン代表画像がシーンに対応して表示されている。タイム・テーブル30のシーン31，32および33に対応して，シーン画像表示領域60にシーン代表画像61，62および63が表示されている。同様に，タイム・テーブル40のシーン41，42および43に対応して，シーン画像表示領域70にシーン代表画像71，72および73が表示され，タイム・テーブル50のシーン51および52に対応して，シーン画像表示領域80にシーン代表画像81および82が表示されている。
【００３９】シーン代表画像を見ることにより各シーンの内容を把握することができる。
【００４０】タイム・テーブル・ページＰＣ１に表示されているタイム・テーブルに表されているシーンまたはシーン代表画像表示ページＰＣ２に表示されているシーン代表画像をクリックすることにより，対応するシーン・フォルダに格納されている画像が表示されているアルバムのページが表示画面上に表示されるようになる。あたかも現実のアルバムのページをめくるようにしてアルバムに表示されている画像を鑑賞できる。
【００４１】シーン代表画像ページＰＣ２の上部にはしおり91，92および93，しおり101，102および103ならびにしおり111および112が見えている。これらのしおりもシーンを特定するものである。しおり91，92および93は，シーン31，32および33をそれぞれ特定するものであり，しおり101，102および103はシーン41，42および43をそれぞれ特定するものであり，しおり111および112はシーン51および52をそれぞれ特定するものである。これらのしおりがクリックされた場合にも対応するシーン・フォルダに格納されている画像が表示されているアルバムのページが表示画面上に表示されるようになる。上述したディレクトリ構成において（図２参照），シーン・フォルダに対応してしおりを特定するデータが格納されていることとなろう。
【００４２】図４に戻って，ユーザによって所望のシーンが選択されると（ステップ24でＹＥＳ），対応するシーン・フォルダに格納されている画像が表示されているアルバム・ページが表示画面上に表示される（ステップ25）。
【００４３】図７は，アルバム・ページの一例である。
【００４４】アルバム・ページＰＡ１およびＰＡ２には，選択されたシーン・フォルダ内に格納されている画像（画像１から画像４）画像が表示される。アルバム・ページＰＡ１の右上には対応するしおり91も表示されている。さらに，アルバム・ページＰＡ１の左下には前のアルバム・ページに戻るときにユーザによってクリックされる矢印121が表示されている。矢印121がクリックされることにより，あたかも１枚のアルバム台紙をめくって前のページに戻るようにして前のアルバム・ページに含まれる画像が表示されるようになる。アルバム・ページＰＡ２の右下には次のアルバム・ページに進むときにユーザによってクリックされる矢印122が表示されている。矢印122がクリックされることにより，あたかも１枚のアルバム台紙をめくって次のページが現れる（図７は，アルバム・ページＰＡ２がめくられ次のアルバム・ページＰＡ４の一時が見えている）。現実のアルバムの台紙をめくるようにしてアルバムを鑑賞でき，所望の画像を探すことができるようになる。
【００４５】ヴァーチャル・アルバムの形態を借りて所望の画像を見つけだすことができるようになる。
【００４６】上述した処理を実現するためのプログラムを記録した記録媒体（ＣＤ−ＲＯＭなど）からプログラムを画像表示制御装置にインストールし，画像表示制御装置を制御するようにしてもよい。その場合には，記録媒体からプログラムを読み取るためのドライバ（ＣＤ−ＲＯＭドライバなど）が画像表示制御装置に設けられることとなろう。」
（刊行物１の記載、以上）
　
　
　以上の記載によると刊行物１には「画像表示制御装置」に係る技術が記載されており、図１を用いて説明される「画像表示制御装置」は、
「【００１３】画像表示制御装置の全体の動作は，ＣＰＵ２によって統括される。
【００１４】画像表示制御装置には，多数の画像を表す画像ファイルが格納されている画像データベース４が含まれている。画像ファイルには，撮影された日時を表す撮影日時データがファイルのヘッダ記録領域に記録されている。
【００１５】キーボード，マウスなどの入力装置３からの出力信号は，ＣＰＵ２に入力する。入力装置３から，各種指令を表す信号が出力される。
【００１６】ＣＰＵ２には，表示装置６の表示画面上に表示される画像を表す画像データ，その他のデータを一時的に記憶するメモリ１も接続されている。表示装置６における画像の表示等は，表示制御装置５によって制御される。
【００１７】この実施例による画像表示装置は，ヴァーチャル・アルバムを作成し，作成されたヴァーチャル・アルバムの中から所望の画像を見つけることができるものである。」
　というものである。
　
　刊行物１には、この図１を用いて説明される「画像表示制御装置」においてなされる手順であって、図２を用いて説明される「ヴァーチャル・アルバムを作成する処理手順」が記載されており、その手順には「アルバム・フォルダを作成する」手順が含まれ、この「アルバム・フォルダを作成する」手順について、次のように記載されている。
　
「【００１９】画像データベース４に格納されている画像ファイルの中から画像の撮影日時データが読み取られる（ステップ11）。読み取られた撮影日時データによって表される撮影日時の順番に画像が並べられる。撮影間隔が24時間以内の画像が関連するものと判断され，特定のアルバム・フォルダの中に格納される。撮影間隔が24時間を超えると，画像同士が関連しないものとして別のアルバム・フォルダの中に格納される。撮影間隔が24時間を超えたときに画像が区切られ，それぞれの区切りごとの画像が格納されるアルバム・フォルダが作成される（ステップ12）。
【００２０】アルバム・フォルダが作成されると，それぞれのアルバム・フォルダごとに格納されている画像の中から代表画像が決定される（ステップ13）。通常は，アルバム・フォルダに格納されている画像の中で最初に撮影された画像が代表画像となろう。もっとも最初に撮影された画像でなくそのほかの画像を代表画像としてもよいのはいうまでもない。たとえば，アルバム・フォルダに格納されているすべての画像をユーザが閲覧し，ユーザによって代表画像が決定されてもよい。
【００２１】アルバム・フォルダに格納されているすべての画像が再び撮影順に並べられる。撮影間隔が１時間以内の画像が同じシーンのものと判断され，シーン・フォルダの中に格納される。撮影間隔が１時間を超えるとシーンが異なるものとして別のシーン・フォルダの中に画像が格納される。撮影間隔が１時間を超えたときにシーンが区切られ，それぞれのシーンごとの画像が格納されるシーン・フォルダが作成される（ステップ14）。
【００２２】シーン・フォルダが作成されると，アルバム・フォルダと同様にそれぞれのシーン・フォルダの中に格納されている画像の中で最初に撮影された画像が代表画像として決定される（ステップ15）。シーン・フォルダの場合もアルバムフォルダの場合と同様に，最初に撮影された画像を代表画像とするのではなく，その他の画像を代表画像とするようにしてもよい。
【００２３】このようにして作成された画像を格納するシーン・フォルダは，対応するアルバム・フォルダ内に格納される。
【００２４】その後，アルバムごとに，かつシーンごとの撮影履歴を示すタイム・テーブルを表すデータが作成される（ステップ16）。タイム・テーブルは，シーンごとの画像がいつ頃撮影されたかをグラフによって表わすものである（後述する図６参照）。
【００２５】図３は，ヴァーチャル・アルバムのディレクトリ構成を示している。
【００２６】上述のようにしてヴァーチャル・アルバムが作成されると，ディレクトリ（画像とシーン・フォルダとアルバム・フォルダとの関連づけ）が構成される。
【００２７】大元のヴァーチャル・アルバム・フォルダが作成されている。そのヴァーチャル・アルバム・フォルダに上述したアルバム・フォルダ（アルバム・フォルダ名：アルバム１からアルバム９）が格納されている。それぞれのアルバム・フォルダ内にシーン・フォルダ（シーン・フォルダ名１，２，３など）が格納されている。シーン・フォルダに画像（画像１，２，３など）が格納されている。それぞれのシーン・フォルダ内に格納されている画像のうち最初に撮影された画像が代表画像とされている。
【００２８】このようなディレクトリ構成とされることにより，上位のディレクトリ（フォルダ）から最下層の画像を見つけだすことができる。
【００２９】図４は，ヴァーチャル・アルバムを閲覧（画像検索）するときの処理手順を示すフローチャートである。図５から図７は，表示装置６の表示画面に表示される画像の一例である。
【００３０】入力装置３からヴァーチャル・アルバム閲覧指令が入力されると，表示装置６の表示画面には図５に示すアルバム・リストが表示される（ステップ21）。アルバム・リストは，上述のように作成されたヴァーチャル・アルバム・フォルダに格納されているアルバム・フォルダを示すアイコンを一覧で表示するものである。アルバム１からアルバム９までのフォルダを示すアイコンが表示されている。アルバム・フォルダに格納されている画像の駒数に対応して，厚さが異なるようにアルバム・フォルダ・アイコンの形が決定されている。アルバム・フォルダ・アイコンは，画像の駒数が多ければ，アルバムの厚さが厚く見える形状となっており，画像の駒数が少なければ，アルバムの厚さが薄く見える形状となっている。アルバム・フォルダの中に格納されている画像の駒数が多いか少ないかを一見して把握できる。
【００３１】アルバム・フォルダ・アイコンの表面には，それぞれのアルバム・フォルダに格納されている画像の代表画像と，格納されている画像の撮影期間が表示されている。代表画像および撮影期間を見ることにより，アルバム・フォルダに格納されている画像の見当を付けることができる。
【００３２】また，表示装置６の表示画面には，マウスによって操作されるカーソルＣも表示されている。
【００３３】所望の画像を見つけるときには，所望の画像が格納されているであろうアルバム・フォルダ・アイコンがクリックされる。すると，対応するアルバムが選択されたこととなり（ステップ22でＹＥＳ），クリックされたアルバム・アイコンによって特定されるアルバムの目次が表示画面に表示される（ステップ23）。この実施例においては，アルバム７のアルバム・フォルダ・アイコンがクリックされたものとする。」
　
　この図１を用いて説明される「画像表示制御装置」においてなされる手順であって、図２を用いて説明される「ヴァーチャル・アルバムを作成する処理手順」に含まれる上記「アルバム・フォルダを作成する」手順は、「アルバム・フォルダを作成する方法」ということができ、この「アルバム・フォルダを作成する方法」を補正後発明と対比する刊行物１に記載された発明（以下、「刊行物１発明」ともいう）として認定する。
　
　ウ　対比
　補正後発明と刊行物１発明とを対比する。
　
　（ア）「コンピュータ・デバイスによって実行される方法」
　　刊行物１発明は、図１を用いて説明される「画像表示制御装置」においてなされる方法であり、この「画像表示制御装置」は
「【００１３】画像表示制御装置の全体の動作は，ＣＰＵ２によって統括される。
【００１４】画像表示制御装置には，多数の画像を表す画像ファイルが格納されている画像データベース４が含まれている。画像ファイルには，撮影された日時を表す撮影日時データがファイルのヘッダ記録領域に記録されている。
【００１５】キーボード，マウスなどの入力装置３からの出力信号は，ＣＰＵ２に入力する。入力装置３から，各種指令を表す信号が出力される。
【００１６】ＣＰＵ２には，表示装置６の表示画面上に表示される画像を表す画像データ，その他のデータを一時的に記憶するメモリ１も接続されている。表示装置６における画像の表示等は，表示制御装置５によって制御される。
【００１７】この実施例による画像表示装置は，ヴァーチャル・アルバムを作成し，作成されたヴァーチャル・アルバムの中から所望の画像を見つけることができるものである。」
　というものであり、ＣＰＵ２を中心としたメモリ１、入力装置３、データベース４、表示制御装置５、表示装置６、全体の構成として「コンピュータ」装置と見ることができるから、刊行物１発明は「コンピュータ・デバイスによって実行される方法」ということができる。
　　したがって、補正後発明と刊行物１発明とは「コンピュータ・デバイスによって実行される方法」という点で一致する。
　
　（イ）「第１のしきい時間値を格納するステップと、
　前記第１のしきい時間値に基づいて、デジタル・イメージのセットを複数のスタックに自動的に整理するステップと、
　前記複数のスタックの各々のグラフィカル表現を表示させるステップと
　を備え、」
　
　　ａ　「第１のしきい時間値を格納するステップ」
　　
　　補正後発明は「しきい時間値」によって「デジタル・イメージ」が「自動的に整理」されるものであるところ、刊行物１発明は、「撮影間隔が24時間を超えると，画像同士が関連しないものとして別のアルバム・フォルダの中に格納される。撮影間隔が24時間を超えたときに画像が区切られ，それぞれの区切りごとの画像が格納されるアルバム・フォルダが作成される（ステップ12）。」【００１９】から、「24時間」を閾値として「画像」が「自動的に整理」されるといえ、刊行物１発明のこの「24時間」が補正後発明の「しきい時間値」に対応するものといえ、「しきい時間値」によって「デジタル・イメージ」が「自動的に整理」されるという点において、補正後発明の「しきい時間値」と刊行物１発明の「24時間」は一致するといえる。すなわち、補正後発明と刊行物１発明とは「しきい時間値」を有する点で一致する。
　　もっとも、刊行物１発明は、この「24時間」という「時間値」を用いているが、方法としていかに設定、保持する、もしくは、設定され保持されるか不明であり、「しきい時間値を格納するステップ」を認めることができない。
　　また、刊行物１発明は「24時間」という「時間値」を用いているだけであり、補正後発明が「第２のしきい時間値」との関係で「第１のしきい時間値」というような意味で、刊行物１発明は「24時間」を「しきい時間値」として「第１の」ということができない。
　　したがって、補正後発明は「第１のしきい時間値を格納するステップ」を備えることに対して、刊行物１発明は「しきい時間値」を「第２のしきい時間値」との関係で「第１の」ということができず、また、「しきい時間値を格納するステップ」を備えない点で相違する。
　
　　ｂ　「前記第１のしきい時間値に基づいて、デジタル・イメージのセットを複数のスタックに自動的に整理するステップ」
　　
　　刊行物１発明は、「24時間」という「時間値」を用いて「画像」が「自動的に整理」されるといえるところ、具体的には、
「【００１９】画像データベース４に格納されている画像ファイルの中から画像の撮影日時データが読み取られる（ステップ11）。読み取られた撮影日時データによって表される撮影日時の順番に画像が並べられる。撮影間隔が24時間以内の画像が関連するものと判断され，特定のアルバム・フォルダの中に格納される。撮影間隔が24時間を超えると，画像同士が関連しないものとして別のアルバム・フォルダの中に格納される。撮影間隔が24時間を超えたときに画像が区切られ，それぞれの区切りごとの画像が格納されるアルバム・フォルダが作成される（ステップ12）。」
　のであって、「撮影間隔が24時間以内の画像が関連するものと判断され，特定のアルバム・フォルダの中に格納される。撮影間隔が24時間を超えると，画像同士が関連しないものとして別のアルバム・フォルダの中に格納される。」こととなる各アルバム・フォルダの中にそれぞれ「撮影間隔が24時間以内の画像が関連するものと判断され」た複数の画像が格納される。ここで各アルバム・フォルダの中に格納されるそれぞれの複数の画像はそれぞれ「デジタル・イメージのセット」といい得、各アルバム・フォルダのそれぞれは「スタック」といいうるから、
　　刊行物１発明は、「前記しきい時間値に基づいて、デジタル・イメージのセットを複数のスタックに自動的に整理するステップ」を備えるといえ、この点で補正後発明と刊行物１発明は一致する。
　　もっとも、刊行物１発明は、この「しきい時間値」について「第１の」いえないことは上記したとおりである。
　
　　ｃ　「前記複数のスタックの各々のグラフィカル表現を表示させるステップ」
　　
　　刊行物１発明は、アルバム・フォルダについて、図５で示すように「アルバムリスト」として表示され、その表示は、
「【００３０】・・・アルバム・リストは，上述のように作成されたヴァーチャル・アルバム・フォルダに格納されているアルバム・フォルダを示すアイコンを一覧で表示するものである。アルバム１からアルバム９までのフォルダを示すアイコンが表示されている。アルバム・フォルダに格納されている画像の駒数に対応して，厚さが異なるようにアルバム・フォルダ・アイコンの形が決定されている。アルバム・フォルダ・アイコンは，画像の駒数が多ければ，アルバムの厚さが厚く見える形状となっており，画像の駒数が少なければ，アルバムの厚さが薄く見える形状となっている。アルバム・フォルダの中に格納されている画像の駒数が多いか少ないかを一見して把握できる。
【００３１】アルバム・フォルダ・アイコンの表面には，それぞれのアルバム・フォルダに格納されている画像の代表画像と，格納されている画像の撮影期間が表示されている。代表画像および撮影期間を見ることにより，アルバム・フォルダに格納されている画像の見当を付けることができる。」
　　ものである。
　　このように、複数のアルバム・フォルダが「アルバム・フォルダを示すアイコンを一覧で表示」され、それぞれのアイコンは、「画像の駒数が多ければ，アルバムの厚さが厚く見える形状となっており，画像の駒数が少なければ，アルバムの厚さが薄く見える形状となっている。」ものであって、図５で示されるように、厚みのある実際のアルバムが並んでいるかのように表示されており、このような表示は「グラフィカル表現」といいうる。
　　したがって、刊行物１発明は「前記複数のスタックの各々のグラフィカル表現を表示させるステップ」を備えるといい得、この点で補正後発明と刊行物１発明とは一致する。
　
　　ｄ　まとめ
　　以上のとおりであるから、補正後発明と刊行物１発明とは、
　
　　「しきい時間値」を有し、
　　「前記しきい時間値に基づいて、デジタル・イメージのセットを複数のスタックに自動的に整理するステップ」と、
　　「前記複数のスタックの各々のグラフィカル表現を表示させるステップ」を備える点で一致し、
　
　　補正後発明は「第１のしきい時間値を格納するステップ」を備えることに対して、刊行物１発明は「しきい時間値」を「第２のしきい時間値」との関係で「第１の」ということができず、また、「しきい時間値を格納するステップ」を備えない点で相違する。
　
　（ウ）「前記デジタル・イメージのセット中の各デジタル・イメージは作成日時と関連づけられ、
　前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず」
　　
　　刊行物１発明では、
「読み取られた撮影日時データによって表される撮影日時の順番に画像が並べられる。撮影間隔が24時間以内の画像が関連するものと判断され，特定のアルバム・フォルダの中に格納される。撮影間隔が24時間を超えると，画像同士が関連しないものとして別のアルバム・フォルダの中に格納される。撮影間隔が24時間を超えたときに画像が区切られ，それぞれの区切りごとの画像が格納されるアルバム・フォルダが作成される（ステップ12）。」
　　のであって、「読み取られた撮影日時データによって表される撮影日時の順番に画像が並べられる。」ことから、各画像は「撮影日時データ」と関連付けられているといえ、刊行物１発明は「前記デジタル・イメージのセット中の各デジタル・イメージは作成日時と関連づけられ、」といいうる。
　　
　　刊行物１発明において、各アルバム・フォルダには、「撮影間隔が24時間以内の画像が関連するものと判断され」て格納され、アルバム・フォルダに格納される画像として、上記「撮影日時データ」と関連付けられている複数の画像が想定され、また、その複数の画像は、２枚だけというよりむしろ３枚以上の多数のものが想定されているといえ、さらに、その３枚以上の画像について、「撮影日時の順番に画像が並べられ」ている３枚の画像が想定される。
　　したがって、刊行物１発明は、「前記デジタル・イメージのセットは、第１のデジタル・イメージ、第２のデジタル・イメージ、第３のデジタル・イメージを備え、」といいうる。
　
　　また、そのような「撮影日時の順番に画像が並べられ」ている「撮影日時の順番に」連続した３枚の画像についてみると、「撮影日時の順番に」連続するから、撮影日時は順に大きくなり、また、間に他の画像を含まないのであって、
　１枚目の画像の撮影日時は、２枚目の画像の撮影日時より小さく、
　２枚目の画像の撮影日時は、３枚目の画像の撮影日時より小さく、
　１枚目の画像の撮影日時と２枚目の画像の撮影日時との間の撮影日時の画像を含まず、
　２枚目の画像の撮影日時と３枚目の画像の撮影日時との間の撮影日時の画像を含まない
　　といえる。
　　
　　このようであるから、刊行物１発明は補正後発明と同じく、
「前記デジタル・イメージのセット中の各デジタル・イメージは作成日時と関連づけられ、
　前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず」
　　といいうるものであり、この点で補正後発明と刊行物１発明とは一致する。
　
　（エ）「前記第１のしきい時間値に基づいて、デジタル・イメージのセットを複数のスタックに自動的に整理するステップは、
　前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記第１のしきい時間値より小さいときには、前記複数のスタック中の第１のスタックに含ませるものとして前記第１および第２のデジタル・イメージを自動的に選択するステップと、
　前記第２の差分が前記第１のしきい時間値より大きいときには、前記複数のスタック中の第２のスタックに含ませるものとして前記第３のデジタル・イメージを自動的に選択するステップと
　を備え、
　前記第１のしきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まず」
　　
　　刊行物１発明は、
　　上記［２　（２）　ウ　（イ）　ｂ］で述べたように、刊行物１発明は、「24時間」という「時間値」を用いて「画像」が「自動的に整理」されるといえるところ、具体的には、【００１９】記載のように、
・画像データベース４に格納されている画像ファイルの中から画像の撮影日時データが読み取られる（ステップ11）。
・読み取られた撮影日時データによって表される撮影日時の順番に画像が並べられる。
・撮影間隔が24時間以内の画像が関連するものと判断され，特定のアルバム・フォルダの中に格納される。
・撮影間隔が24時間を超えると，画像同士が関連しないものとして別のアルバム・フォルダの中に格納される。
・撮影間隔が24時間を超えたときに画像が区切られ，それぞれの区切りごとの画像が格納されるアルバム・フォルダが作成される（ステップ12）。
　　のである。
　
　　ここで「撮影日時の順番に画像が並べられる。」ときに、上記［２　（２）　ウ　（ウ）］で述べたような連続した３枚の画像が想定され、「撮影日時の順番に画像が並べられ」た多数の画像のそれぞれについて相対的に、第１、第２、第３の画像ということができる。
　
　・「撮影間隔が24時間以内の画像が関連するものと判断され，特定のアルバム・フォルダの中に格納される。」とき、当然に２枚の画像の間隔が調べられ、この間隔が「24時間以内」であれば、この２枚の画像は「特定のアルバム・フォルダの中に格納される」こととなる。また、これは、２枚目の画像と３枚目の画像との間隔についても同様になされるといえ、１枚目と２枚目との間隔が「24時間以内」であり、２枚目と３枚目の間隔も「24時間以内」であれば、１、２、３枚目の画像は同じ「特定のアルバム・フォルダの中に格納され」ることとなる。
　　ところが、
　・「撮影間隔が24時間を超えると，画像同士が関連しないものとして別のアルバム・フォルダの中に格納される。」から、２枚目と３枚目の間隔が「24時間を超えると」、「別のアルバム・フォルダの中に格納される。」こととなり、１、２枚目の画像は「特定のアルバム・フォルダの中に格納され」、３枚目の画像は「別のアルバム・フォルダの中に格納される」ことになる。
　
　　このように、刊行物１発明において、「（当然に）２枚の画像の間隔が調べられ」ることは、「（ひとつの）デジタル・イメージに関連づけられた作成日時と、（次の）デジタル・イメージに関連づけられた作成日時とを比較する」ということができ、また、調べられた「間隔」は「（ひとつの）デジタル・イメージに関連づけられた作成日時と、（次の）デジタル・イメージに関連づけられた作成日時との差を反映する差分」といいうるから、
　　１枚目と２枚目とについて、
　「前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップ」を備えるということができ、
　　１枚目と２枚目との間隔が「24時間以内」の場合、この２枚の画像が「特定のアルバム・フォルダの中に格納される」ことが、自動的になされるといえるから、
　「前記第１の差分が前記しきい時間値より小さいときには、前記複数のスタック中の第１のスタックに含ませるものとして前記第１および第２のデジタル・イメージを自動的に選択するステップ」を備えるということができ、
　　２枚目と３枚目とについて、
　「前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップ」を備えるということができ、
　　２枚目と３枚目との間隔が「24時間を超える」の場合、３枚目の画像が「別のアルバム・フォルダの中に格納される」ことが自動的になされるといえるから、
　「前記第２の差分が前記しきい時間値より大きいときには、前記複数のスタック中の第２のスタックに含ませるものとして前記第３のデジタル・イメージを自動的に選択するステップ」を備えるといえる。
　
　　そして、刊行物１発明で、１枚目と２枚目との間隔が「24時間以内」であり、２枚目と３枚目の間隔が「24時間を超えると」、１、２枚目の画像は「特定のアルバム・フォルダの中に格納され」、３枚目の画像は「別のアルバム・フォルダの中に格納される」ことになるから、
　「前記しきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まず」といえることとなる。
　
　　このようであるから、
　　刊行物１発明は、
「前記しきい時間値に基づいて、デジタル・イメージのセットを複数のスタックに自動的に整理するステップは、
　前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップと
　を備え、
　前記しきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まず」といい得、この点で補正後発明と一致する。
　　もっとも、刊行物１発明は、この「しきい時間値」について「第１の」いえないことは上記したとおりである。
　
　（オ）「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」
　　
　　上記［２　（２）　ウ　（イ）　ａ］に述べたように、
　「24時間」という「時間値」を用いているが、方法としていかに設定、保持する、もしくは、設定され保持されるか不明であり、「しきい時間値を格納するステップ」を認めることができず、補正後発明が「第２のしきい時間値」との関係で「第１のしきい時間値」というような意味で、刊行物１発明は「24時間」を「しきい時間値」として「第１の」ということができないものである。
　　そのことにより、上記［２　（２）　ウ　（エ）］に述べたように、刊行物１発明は「前記しきい時間値に基づいて、デジタル・イメージのセットを複数のスタックに自動的に整理するステップの後には、」上記のような整理がなされるものではあるが、そのステップの後に、「第２のしきい時間値に、（ａ２）前記第１の差分より小さいか、もしくは（ｂ２）前記第２の差分より大きい、値を選択する入力」を入力する構成を認めることができず、
　
「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」
　　ということができない。
　
　したがって、補正後発明は、
「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」
　　ことに対して、刊行物１発明はそうでない点で相違する。
　
　（カ）相違点のまとめ
　　以上のように補正後発明の構成毎に対比されるところ、各構成における上記相違点は、
　　刊行物１発明が
「24時間」という「時間値」を用いているが、方法としていかに設定、保持する、もしくは、設定され保持されるか不明であり、「しきい時間値を格納するステップ」を認めることができないことに対して、
　　補正後発明が
「しきい時間値を格納するステップ」を有し、
「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力」を入力する構成を有することの相違、
　　すなわち、
　　刊行物１発明は、24時間という１つのしきい時間値に基づく自動整理の技術であるところ、
　　補正後発明は、しきい時間値を入力し、自動整理をやり直すことができるという相違に基づく相違と認めることができ、
　　この相違により、
　　補正後発明が
「しきい時間値を格納するステップ」を有し、
「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力」を入力する構成を有することにより、
　　「しきい時間値」について「第１の」「第２の」といい、
　　「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」
　　ことに対して、
　　刊行物１発明が
「24時間」という「時間値」を用いているが、方法としていかに設定、保持する、もしくは、設定され保持されるか不明であり、「しきい時間値を格納するステップ」を認めることができないことにより、
　　「しきい時間値」について「第１の」ということができず、
　　「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」構成を有しない点で相違するものといえる。
　
　エ　一致点相違点
　以上の対比によると、補正後発明と刊行物１発明との一致点、相違点は次のとおりである。
　
［一致点］
　コンピュータ・デバイスによって実行される方法であって、この方法は、
　しきい時間値を有し、
　前記しきい時間値に基づいて、デジタル・イメージのセットを複数のスタックに自動的に整理するステップと、
　前記複数のスタックの各々のグラフィカル表現を表示させるステップと
　を備え、
　前記デジタル・イメージのセット中の各デジタル・イメージは作成日時と関連づけられ、
　前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず、
　前記しきい時間値に基づいて、デジタル・イメージのセットを複数のスタックに自動的に整理するステップは、
　前記第１のデジタル・イメージに関連づけられた作成日時と、前記第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　前記第２のデジタル・イメージに関連づけられた作成日時と、前記第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップと
　を備え、
　前記しきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まない
　ことを特徴とする方法。
　
［相違点］
　　刊行物１発明が
「24時間」という「時間値」を用いているが、方法としていかに設定、保持する、もしくは、設定され保持されるか不明であり、「しきい時間値を格納するステップ」を認めることができないことに対して、
　　補正後発明が
「しきい時間値を格納するステップ」を有し、
「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力」を入力する構成を有することの相違、
　　すなわち、
　　刊行物１発明は、24時間という１つのしきい時間値に基づく自動整理の技術であるところ、
　　補正後発明は、しきい時間値を入力し、自動整理をやり直すことができるという相違に基づく相違と認めることができ、
　　この相違により、
　　補正後発明が
「しきい時間値を格納するステップ」を有し、
「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力」を入力する構成を有することにより、
　　「しきい時間値」について「第１の」「第２の」といい、
　　「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」
　　ことに対して、
　　刊行物１発明が
「24時間」という「時間値」を用いているが、方法としていかに設定、保持する、もしくは、設定され保持されるか不明であり、「しきい時間値を格納するステップ」を認めることができないことにより、
　　「しきい時間値」について「第１の」ということができず、
　　「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」構成を有しない点。
　
　オ　判断
　写真アルバムの作成が、写真の内容、アルバム作成者の意図によって、様々に設定、もしくは、組み替えられるものであることは、一般的に認められるところ、
　刊行物１では
「【０００４】
【発明の開示】この発明は，比較的簡単に所望の画像を見つけることを目的とする。」
　とし、
「【００１７】この実施例による画像表示装置は，ヴァーチャル・アルバムを作成し，作成されたヴァーチャル・アルバムの中から所望の画像を見つけることができるものである。」
　であって、
「【００４４】・・・現実のアルバムの台紙をめくるようにしてアルバムを鑑賞でき，所望の画像を探すことができるようになる。
【００４５】ヴァーチャル・アルバムの形態を借りて所望の画像を見つけだすことができるようになる。」
　と説明され、
　刊行物１発明で作成され「しきい時間値」が「24時間」で作成される図５のように表示されるアルバムも、「現実のアルバム」すなわち一般的な写真アルバムと同様に、写真の内容、アルバム作成者の意図によって、様々に設定、もしくは、組み替えられるようにするために、「しきい時間値」を「24時間」で固定せず、アルバム作成者の意図によって設定するようにしようと思うことは、容易に想到できることといえる。
　そのために、「24時間」という「時間値」を用いているが、方法としていかに設定、保持する、もしくは、設定され保持されるか不明である刊行物１発明において、「しきい時間値」を「24時間」で固定せず、アルバム作成者の意図によって設定できるように、「しきい時間値」を入力できるようにして、入力したしきい時間値を処理のために格納するように「しきい時間値を格納するステップ」を備えるようにすることは、当業者が容易に想到できることである。
　同時に、そのように「しきい時間値」を入力できるようにして、一度特定のしきい時間値で自動的に整理したアルバムについて、アルバム作成者の意図に沿うように組み替えるために試行錯誤して「しきい時間値」の入力をやり直して、所望のアルバムにしようとすることは自然である。入力する「しきい時間値」が長ければ１つのアルバムに多くの写真が集まり、短ければアルバムが細分化されるのは自明であって、１つのアルバムに多くの写真を集めようと思えば、入力する「しきい時間値」を長くし、アルバムを細分化しようと思えば、入力する「しきい時間値」を短くするのは当然といえ、
「前記デジタル・イメージのセットは、第１のデジタル・イメージ、第２のデジタル・イメージ、第３のデジタル・イメージを備え、
　前記第１のデジタル・イメージと関連づけられ作成日時は、第２のデジタル・イメージの作成日時より小さく、
　前記第２のデジタル・イメージと関連づけられ作成日時は、第３のデジタル・イメージの作成日時より小さく、
　前記デジタル・イメージのセットは、前記第１のデジタル・イメージの作成日時と前記第２のデジタル・イメージの作成日時との間の作成日時に関連づけられたデジタル・イメージを含まず、
　前記デジタル・イメージのセットは、前記第２のデジタル・イメージの作成日時と前記第３のデジタル・イメージの作成日時との間の作成日時に関連づけられたデジタル・イメージを含まず、」
という関係の下で
「前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップと
　を備え、
　前記しきい時間値に基づいて、デジタル・イメージのセットを複数のスタックに自動的に整理するステップの後には、（ａ１）前記第１のスタックは前記第３のデジタル・イメージを含まず、（ｂ１）前記第２のスタックは前記第１のデジタル・イメージも前記第２のデジタル・イメージも含まない」
　状況において、
　アルバムを細分化しようと思って、入力する「しきい時間値」を短くするとき、上記状況が、しきい時間値に対して第１の差分が小さく、第２の差分が大きいのが自明であるから、第１の差分がしきい時間値より小さいことによって１つのスタック（アルバム）に１番目と２番目の写真が入ることになったのを、入力するしきい時間値を第１の差分より小さくしてアルバムを細分化しようとするのは自然であり、
　また、
　１つのアルバムに多くの写真を集めようと思ったときは、その逆に、入力するしきい時間値を第２の差分より大きくして１つのアルバムに多くの写真を集めようとするのも自然である。
　このようにするとき、先に整理したときの「しきい時間値」を「第１の」、次に整理するときの「しきい時間値」を「第２の」ということができる。
　このようにすると、
　入力する「しきい時間値」によって、
「前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択する」ものとなり、
　第２のしきい時間値による整理は、第１のしきい時間値による整理に対して、「さらに」なされるものとなる。
　
　そうであるから、刊行物１発明において、
　「しきい時間値を格納するステップ」を備えるようにし、
　「しきい時間値」について「第１の」といい、次に入力する「しきい時間値」について「第２の」といい、
　「前記第１のしきい時間値に基づいて、デジタル・イメージのセットを複数のスタックに自動的に整理するステップの後に」
「第２のしきい時間値に、（ａ２）前記第１の差分より小さいか、もしくは（ｂ２）前記第２の差分より大きい、値を選択する入力に応じ、
　前記第２のしきい時間値が前記第１の差分より小さいときには、デジタル・イメージの別々のスタックに含ませるものとして前記第１、第２および第３のデジタル・イメージを自動的に選択し、
　前記第２のしきい時間値が前記第２の差分より大きいときには、デジタル・イメージの同一のスタックに含ませるものとして前記第２および第３のデジタル・イメージを自動的に選択するステップをさらに含む」構成として、補正後発明の相違点に係る構成とすることは、当業者が容易に想到できることといえる。
　そして、そのような構成において、補正後発明の効果は当業者が予測できるものである。
　よって、補正後発明は、刊行物１に記載された発明に基づいて当業者が容易に発明をすることができたものである。
　
　カ　補正の適法性　まとめ
　以上のとおり、補正後の請求項１に係る発明は、刊行物１に記載された発明に基づいて当業者が容易に発明をすることができたものであって、特許法第２９条第２項の規定により、特許出願の際独立して特許を受けることができるものということができない。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり、決定する。
　
３　本願発明
　上記のとおり、平成２３年７月２９日付けの手続補正は却下した。
　したがって、本件出願の請求項１ないし１５に係る発明は、平成２３年２月２８日付けで補正された特許請求の範囲の請求項１ないし１５に記載されたとおりのものであり、そのうち、請求項４に係る発明（以下、「本願発明」ともいう）は、次のとおりである。なお、請求項４は請求項１を引用するので、引用される請求項１とともに示す。
　
［本願発明］
（請求項１）
　コンピュータ・デバイスによって実行される方法であって、この方法は、
　しきい時間値を格納するステップと、
　前記しきい時間値に基づいて、デジタル・イメージのセットを複数のスタックに自動的に整理するステップと、
　前記複数のスタックの各々のグラフィカル表現を表示させるステップと
　を備え、
　前記自動的に整理するステップは、
　デジタル・イメージのセット中の第１のデジタル・イメージに関連づけられた作成日時と、デジタル・イメージのセット中の第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　デジタル・イメージのセット中の第２のデジタル・イメージに関連づけられた作成日時と、デジタル・イメージのセット中の第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップとを備え、
　前記第１のスタックは前記第３のデジタル・イメージを含まず、
　前記第２のスタックは前記第１のデジタル・イメージも前記第２のデジタル・イメージも含まず、
　前記第１のデジタル・イメージに関連づけられた作成日時は前記第２のデジタル・イメージに関連づけられた作成日時よりも小さく、
　前記第２のデジタル・イメージに関連づけられた作成日時は前記第３のデジタル・イメージに関連づけられた作成日時よりも小さい
　ことを特徴とする方法。
（請求項４）
　新たなしきい時間値を選択する入力に応じ、前記第２の差分が前記新たなしきい時間値より小さいときには、同一のスタックに含ませるものとして前記第２および第３のデジタル・イメージを自動的に選択するステップ
　をさらに備えることを特徴とする請求項１に記載の方法。
　
４　刊行物１
　査定の理由として示した特開２００３−３０３２１１号公報（以下、「刊行物１」ともいう）には、上記［２　（２）　イ］に述べた記載及び発明（刊行物１発明）が認められる。
　
５　対比
　本願発明と刊行物１発明とを対比する。
　本願発明は、上記本件補正前の（請求項１を引用する）請求項４のとおりのものであって、上記［２　（２）　ウ］で述べた対比を援用する。
　本願発明は補正後発明の「第１のしきい時間値」「第２のしきい時間値」を「しきい時間値」「新たなしきい時間値」と表現して、「しきい時間値を入力し、自動整理をやり直すことができる」点を表現していると認められるものであり、本願発明と刊行物１発明との一致点、相違点は次のとおりである。
　
［一致点］
　コンピュータ・デバイスによって実行される方法であって、この方法は、
　しきい時間値を有し、
　前記しきい時間値に基づいて、デジタル・イメージのセットを複数のスタックに自動的に整理するステップと、
　前記複数のスタックの各々のグラフィカル表現を表示させるステップと
　を備え、
　前記自動的に整理するステップは、
　デジタル・イメージのセット中の第１のデジタル・イメージに関連づけられた作成日時と、デジタル・イメージのセット中の第２のデジタル・イメージに関連づけられた作成日時とを比較するステップであって、前記第１のデジタル・イメージに関連づけられた作成日時と、前記第２のデジタル・イメージに関連づけられた作成日時との差を反映する第１の差分を設定する、比較するステップと、
　デジタル・イメージのセット中の第２のデジタル・イメージに関連づけられた作成日時と、デジタル・イメージのセット中の第３のデジタル・イメージに関連づけられた作成日時とを比較するステップであって、前記第２のデジタル・イメージに関連づけられた作成日時と、前記第３のデジタル・イメージに関連づけられた作成日時との差を反映する第２の差分を設定する、比較するステップと、
　前記第１の差分が前記しきい時間値より小さいときには、前記複数のスタック中の第１のスタックに含ませるものとして前記第１および第２のデジタル・イメージを自動的に選択するステップと、
　前記第２の差分が前記しきい時間値より大きいときには、前記複数のスタック中の第２のスタックに含ませるものとして前記第３のデジタル・イメージを自動的に選択するステップとを備え、
　前記第１のスタックは前記第３のデジタル・イメージを含まず、
　前記第２のスタックは前記第１のデジタル・イメージも前記第２のデジタル・イメージも含まず、
　前記第１のデジタル・イメージに関連づけられた作成日時は前記第２のデジタル・イメージに関連づけられた作成日時よりも小さく、
　前記第２のデジタル・イメージに関連づけられた作成日時は前記第３のデジタル・イメージに関連づけられた作成日時よりも小さい
　ことを特徴とする方法。
　
［相違点］
　刊行物１発明が
「24時間」という「時間値」を用いているが、方法としていかに設定、保持する、もしくは、設定され保持されるか不明であり、「しきい時間値を格納するステップ」を認めることができないことに対して、
　本願発明が
「しきい時間値を格納するステップ」を有し、
「新たなしきい時間値を選択する入力」を入力する構成を有することの相違、
　すなわち、
　刊行物１発明は、24時間という１つのしきい時間値に基づく自動整理の技術であるところ、
　本願発明は、しきい時間値を入力し、自動整理をやり直すことができるという相違に基づく相違と認めることができ、
　この相違により、
　本願発明が
「しきい時間値を格納するステップ」を有し、
「新たなしきい時間値を選択する入力に応じ、前記第２の差分が前記新たなしきい時間値より小さいときには、同一のスタックに含ませるものとして前記第２および第３のデジタル・イメージを自動的に選択するステップ
　をさらに備える」
　ことに対して、
　刊行物１発明が
「24時間」という「時間値」を用いているが、方法としていかに設定、保持する、もしくは、設定され保持されるか不明であり、「しきい時間値を格納するステップ」を認めることができないことにより、
「新たなしきい時間値を選択する入力に応じ、前記第２の差分が前記新たなしきい時間値より小さいときには、同一のスタックに含ませるものとして前記第２および第３のデジタル・イメージを自動的に選択するステップ
　をさらに備える」構成を有しない点。
　
６　判断
　上記相違点は、補正後発明と刊行物１発明との相違点と同様の技術的相違といえ、上記［２　（２）　エ］で述べた判断と同様に判断される。
　よって、本願発明は、刊行物１に記載された発明に基づいて当業者が容易に発明をすることができたものである。
　
７　むすび
　以上のとおり、本件出願の請求項４に係る発明は、刊行物１に記載された発明に基づいて当業者が容易に発明をすることができたものであるから、特許法第２９条第２項の規定により、特許を受けることができない。
　したがって、本件出願の他の請求項に係る発明について検討するまでもなく、本件出願は拒絶をすべきものである。
　よって、結論のとおり審決する。